(57)【要約】      （修正有）【課題】遊技球の動きを見た目で面白くし得る遊技球振分装置を備え、遊技性を向上させる弾球遊技機を提供する。【解決手段】スリ鉢形に形成された球受皿１０ａ，１０ｂと、球受皿の中央部に上面が球受皿の底面部と連なるように水平に配設された平面円形の回転体１３ａ，１３ｂと、回転体を水平面内で回転させる回転駆動機構とからなり、回転体の中心部に球流落口１４ａ，１４ｂが形成され、球受皿内に流入した遊技球Ｐは回転体が回転する際に回転体の上面との摩擦により遠心力やスピンが掛かることで球受皿内にて継続的に転動し、球受皿の外周縁より流出したり球流落口に流落するようにした。【選択図】図１
2020022671.tif 000002
【特許請求の範囲】
【請求項１】
スリ鉢形に形成された球受皿と、該球受皿の中央部に上面が該球受皿の底面部と連なるように配設された円形状の回転体と、該回転体を水平面内で回転させる回転駆動機構とからなり、該回転体の中心部に球流落口が形成され、該球受皿内に流入した遊技球は該回転体が回転する際に該回転体の上面との摩擦により遠心力やスピンが掛かることで該球受皿内にて継続的に転動し、該球受皿の外周縁より流出したり前記球流落口に流落するようにしたことを特徴とする遊技球振分装置。
【請求項２】
前記遊技球振分装置を隣接して複数個配置し、該遊技球振分装置の前記球受皿の外周縁から流出した遊技球を他の遊技球振分装置の球受皿に移動可能に設け、一方の遊技球振分装置の球流落口に遊技球が流落した場合に他方の遊技球振分装置の球流落口に遊技球が流落するよりも遊技者にとって有利になるように球流落口に優劣の差異を設けてなることを特徴とする請求項１に記載した遊技球振分装置。
【請求項３】
外周縁部に形状の異なる複数種類の球保持孔が形成された回転円盤を傾斜面内で回転動するように支持した球戻機構を前記球受皿の一側縁に設け、前記球受皿の外周縁から流出した遊技球が前記回転円盤の球保持孔に保持され、該球保持孔には受け入れられた遊技球を前記遊技球振分装置内で循環する循環球として導く循環球保持孔を有し、該循環球保持孔には形状に従い前記球受皿に戻す戻入球保持孔と、他の部位に排出する排出球保持孔との種別を有することを特徴とする請求項１または２に記載した遊技球振分装置。
【請求項４】
前記回転円盤の循環球保持孔に隣接し形成され、遊技領域から遊技球が入球することで該遊技球が隣接する循環球保持孔に遊技球が入球するのを阻止する流入阻止球保持孔を有し、該流入阻止球保持孔は入球した遊技球を前記遊技球振分装置内で循環させることのない非循環球とする非循環球保持孔として前記循環球保持孔と高低差をもって配設し、
遊技領域からの遊技球を前記回転円盤の循環球保持孔又は非循環球保持孔のいずれかに流入させるよう切り替え可能とする流路切替機構を備えていることを特徴とする請求項３に記載した遊技球振分装置。
【請求項５】
前記球戻機構は傾斜状に形成されたケース体内にて前記回転円盤が回転動するように設けられ、該ケース体の下縁部に前記球受皿から流出した遊技球を該回転円盤の球保持孔に流入させる球受入口を形成するとともに、該ケース体の上縁部に球開放口を形成し、該ケース体の中央部に傾斜スロープを形成し、前記球開放口から放出された遊技球が該傾斜スロープ上を滑落し前記球受入口を飛び越すようにジャンプすることで前記球受皿に戻されるようにしたことを特徴とする請求項３乃至４のいずれかに記載した遊技球振分装置。
【発明の詳細な説明】
【技術分野】
【０００１】
本発明は、パチンコ遊技機，アレンジボール遊技機，雀球遊技機等のパチンコ球を遊技媒体とする遊技機において、流入した遊技球を複数の流路に振り分ける遊技球振分装置に関するもので、特にはスリ鉢形の球受皿に遊技球を流入させて遊技球を振り分ける装置に関するものである。
【背景技術】
【０００２】
一般に遊技球振分装置は、遊技盤の遊技領域に設けられ、該遊技領域から流入した遊技球を複数の流路のうちいずれかに誘導し、遊技機の遊技性に大きく影響を与えている。また、近年のパチンコ遊技機等の弾球遊技機には、液晶表示装置等の大型ディスプレイに単にアニメーション等の動画を表示するだけでなく、遊技球振分装置と該ディスプレイの表示とを連動させてインパクトのある演出をするものも存在している。
下記特許文献１に示された遊技球振分装置は、クルーンと称されるスリ鉢状の皿が上下２段に配置され、該各皿の中央部には３つの球流落口が形成されていて、上段のクルーンに流入した遊技球はその３つの球流落口のうちの特定の球流落口に入ると下段のクルーンに導かれ、さらにその遊技球が３つの球流落口のうちの特定の球流落口に入ると、特定遊技状態に移行するように構成され、該各クルーンにおける遊技球の動きを遊技者が視認できるように構成したものである。
また、下記特許文献２に示された遊技球周回装置は、クルーンの中央に電動モータによって回転駆動される円筒状の回転リングを配置し、該回転リングには上方に突出する突出部が三角波状（鋸歯状）に形成され、該突出部の間を遊技球が通過可能にし、該回転リングの中心部に遊技球が流落する３つの球流落口が開設され、遊技球がどの球流落口に入るかにより遊技球が振り分けられるようにしたものである。
【先行技術文献】
【特許文献】
【０００３】
【特許文献１】特開２００８−４５８号公報
【特許文献２】特開２００６−６７７３号公報
【発明の概要】
【発明が解決しようとする課題】
【０００４】
ところで、特許文献１に示された遊技球振分装置は、上下の各クルーンにおいて特定の球流落口に遊技球が入る確率は３分の１であるので、特定遊技状態になる確率は常に９分の１という一定の確率にしかならないものであった。このため、遊技中の状況変化が乏しく、面白味が少なく、遊技が単調になり易いという問題がある。
なお、一般に電子回路により常に一定の確率で大当たりや確変等の遊技者にとって有利な状況が到来するように構成された弾球遊技機もまた単調になり易いので、遊技に面白味がないという問題がある。
また、特許文献２に示された装置は、遊技球の動きが画一的になり易いとともに、回転リングの中心部に複数の球流落口を接近して設けねばならないので、遊技球が高速で激しく動くことと相俟って、遊技球が球流落口に入る瞬間が見届けられないため、どの球流落口に入ったのかが分かりにくく、そのために十分な娯楽性が得られないという問題がある。
【課題を解決するための手段】
【０００５】
そこで本発明は、上記のような問題点を解決し得る遊技球振分装置を提供しようとするもので、スリ鉢形に形成された球受皿と、該球受皿の中央部に上面が該球受皿の底面部と連なるように配設された円形状の回転体と、該回転体を水平面内で回転させる回転駆動機構とからなり、該回転体の中心部に球流落口が形成され、該球受皿内に流入した遊技球は該回転体が回転する際に該回転体の上面との摩擦により遠心力やスピンが掛かることで該球受皿内にて継続的に転動し、該球受皿の外周縁より流出したり前記球流落口に流落するようにしたことを特徴とする。
【０００６】
また本発明は、前記遊技球振分装置を隣接して複数個配置し、該遊技球振分装置の前記球受皿の外周縁から流出した遊技球を他の遊技球振分装置の球受皿に移動可能に設け、一方の遊技球振分装置の球流落口に遊技球が流落した場合に他方の遊技球振分装置の球流落口に遊技球が流落するよりも遊技者にとって有利になるように球流落口に優劣の差異を設けてなることを特徴とする。
【０００７】
また本発明は、外周縁部に形状の異なる複数種類の球保持孔が形成された回転円盤を傾斜面内で外周縁部に形状の異なる複数種類の球保持孔が形成された回転円盤を傾斜面内で回転動するように支持した球戻機構を前記球受皿の一側縁に設け、前記球受皿の外周縁から流出した遊技球が前記回転円盤の球保持孔に保持され、該球保持孔には受け入れられた遊技球を前記遊技球振分装置内で循環する循環球として導く循環球保持孔を有し、該循環球保持孔には形状に従い前記球受皿に戻す戻入球保持孔と、他の部位に排出する排出球保持孔との種別を有することを特徴とする。
【０００８】
また本発明は、前記回転円盤の循環球保持孔に隣接し形成され、遊技領域から遊技球が入球することで該遊技球が隣接する循環球保持孔に遊技球が入球するのを阻止する流入阻止球保持孔を有し、該流入阻止球保持孔は入球した遊技球を前記遊技球振分装置内で循環させることのない非循環球とする非循環球保持孔として前記循環球保持孔と高低差をもって配設し、遊技領域からの遊技球を前記回転円盤の循環球保持孔又は非循環球保持孔のいずれかに流入させるよう切り替え可能とする流路切替機構を備えていることを特徴とする。
【０００９】
また本発明は、前記球戻機構は傾斜状に形成されたケース体内にて前記回転円盤が回転動するように設けられ、該ケース体の下縁部に前記球受皿から流出した遊技球を該回転円盤の球保持孔に流入させる球受入口を形成するとともに、該ケース体の上縁部に球開放口を形成し、該ケース体の中央部に傾斜スロープを形成し、前記球開放口から放出された遊技球が該傾斜スロープ上を滑落し前記球受入口を飛び越すようにジャンプすることで前記球受皿に戻されるようにしたことを特徴とする。
【発明の効果】
【００１０】
遊技球が種々の態様にて画一的でない動きを伴って振り分けられる。このためその状況を見る遊技者を飽きさせることがなく、遊技機の趣向性を増大させる。
【図面の簡単な説明】
【００１１】
【図１】本発明に係る遊技球振分装置の斜視図。
【図２】本発明に係る遊技球振分装置の底面図。
【図３】図２のＡ−Ａ線断面矢視図。
【図４】本発明に係る遊技球振分装置の分解斜視図。
【図５】本発明に係る遊技球振分装置の球受皿の分解斜視図。
【図６】本発明に係る遊技球振分装置の球受皿の底面図。
【図７】図６のＢ−Ｂ線断面矢視図。
【図８】図７の作動状態図。
【図９】本発明に係る遊技球振分装置の球戻機構の分解時の上方からの斜視図。
【図１０】本発明に係る遊技球振分装置の球戻機構の分解時の下方からの斜視図。
【図１１】本発明に係る遊技球振分装置の球戻機構のローターの分解斜視図。
【図１２】本発明に係る遊技球振分装置の球戻機構の要部の斜め前方からの斜視図。
【図１３】本発明に係る遊技球振分装置の球戻機構の要部の前方からの斜視図。
【図１４】本発明に係る遊技球振分装置の球戻機構の側方からの斜視図。
【図１５】本発明に係る遊技球振分装置の球戻機構の前方からの斜視図。
【図１６】本発明に係る遊技球振分装置の球戻機構の側面図。
【図１７】本発明に係る遊技球振分装置の球戻機構の分解時の上方からの斜視図。
【図１８】本発明に係る遊技球振分装置の球戻機構の分解時の下方からの斜視図。
【図１９】本発明に係る遊技球振分装置の流路切替機構の縦断面図。
【図２０】本発明に係る遊技球振分装置の流路切替機構の縦断面図。
【発明を実施するための形態】
【００１２】
図１に示したように、この実施形態に示した遊技球振分装置は、第１ゾーンＡと第２ゾーンＢとを隣りあわせに形成し、第１ゾーンＡに球受皿１０ａを配設し、第２ゾーンＢに球受皿１０ｂを配設している。そして、球受皿１０ａの一側縁に球戻機構１１ａを設け、球受皿１０ｂの一側縁に球戻機構１１ｂを設け、一方の球戻機構１１ａの上部に流路切替機構１２を設けている。
【００１３】
球受皿１０ａ，１０ｂは、下面が開口した箱状の組付台１０の上面に並設され、該球受皿１０ａ，１０ｂの底面はいずれも中心方向に向かって低くなる緩い傾斜状、即ちスリ鉢状に形成している。そして、該球受皿１０ａ，１０ｂの中央部に平面円形の回転体１３ａ，１３ｂを水平に設けている。なお、該回転体１３ａ，１３ｂの上面の外周縁は球受皿１０ａ，１０ｂの底面と段差なく連なるようにするとともに、該回転体１３ａ，１３ｂの上面は中心部に向けて徐々に低くなる緩い傾斜状に形成されている。そして、該回転体１３ａ，１３ｂの中心部に球流落口１４ａ，１４ｂを形成する。なお、該球流落口１４ａ，１４ｂは該回転体１３ａ，１３ｂの下面中心に形成された垂下筒１５ａ，１５ｂに形成され、該垂下筒１５ａ，１５ｂの外周に歯車１６ａ（図３、図７），１６ｂを形成している。そして、図５に示したように組付台１０の上面に突設された小筒体１７ａ，１７ｂの外周に該垂下筒１５ａ，１５ｂを遊嵌することで該回転体１３ａ，１３ｂを回転自在に支持する。なお、前記球流落口１４ａ，１４ｂの周囲には複数の半球状の小突起からなる障害部１８ａ，１８ｂを形成している。
【００１４】
上記回転体１３ａ，１３ｂを水平面内で回転動させる回転駆動機構２０ａ，２０ｂは、前記組付台１０内に電気的駆動源たる一対のモータ２１ａ，２１ｂを複数のビス２２により固設し、該各モータの回転軸を該組付台１０上に突出させて歯車２３ａ，２３ｂに圧入することで固設し、該歯車２３ａ，２３ｂを前記歯車１６ａ，１６ｂに噛合させてなる。
【００１５】
この一方の球流落口１４ａと他方の球流落口１４ｂとでは、遊技球Ｐが流落した場合に、いずれか一方が遊技者にとって有利であり、他方が相対的に不利となるように設定される。即ち、一方のゾーンの球流落口に遊技球Ｐが流落した場合に他方のゾーンの前記球流落口に流落するよりも遊技者にとって有利になるように両ゾーンの球流落口に優劣の差異が設けられる。例えば、球流落口１４ａに遊技球Ｐが流落した場合は周知の大当たりが発生し、パチンコ機等の弾球遊技機における遊技盤の遊技領域に設けられている大入賞口（図示せず）が繰り返し開状態になることで多数の遊技球Ｐが該大入賞口に入賞可能なるようにし遊技者にとって非常に有利になるのに対し、球流落口１４ｂに遊技球Ｐが流落した場合はこのような特別状態には至らず該遊技球Ｐは一個のハズレ球として処理されるにすぎない。従ってこうした設定である場合、第１ゾーンＡの球受皿１０ａに遊技球Ｐがあるときは大当たり発生への期待を十分に持ち得るので有利であるのに対し、第２ゾーンＢの球受皿１０ｂに遊技球Ｐがあるときはこうした期待を持つことができず遊技者にとって不利な状況になる。
【００１６】
次に組付台１０上に設けられる球移送手段３０ａ，３０ｂを説明する。該球移送手段３０ａ，３０ｂは、組付台１０上であって球受皿１０ａの外側奥方部位に球通路３１ａを形成し、組付台１０上であって球受皿１０ｂの外側前方部位に球通路３１ｂを形成し、球受皿１０ａと球受皿１０ｂとの間隔部位に遊技球持上装置３２を設けている。該球通路３１ａと球通路３１ｂはいずれも平面略Ｊ字状に湾曲して形成されているとともに、遊技球持上装置３２の方向に向けて緩やかな下向傾斜状に形成されている。なお、該球通路３１ａ，球通路３１ｂの途中に遊技球Ｐが通ったことを検知する通過球センサ（図示せず）を設けている。
【００１７】
前記遊技球持上装置３２は、球受皿１０ａおよび球受皿１０ｂよりも高さのある箱形部３３を球受皿１０ａと球受皿１０ｂの間にビス３３′により固設し、該箱形部３３の底面及び一側面を切り欠いて形成された流入口３３ａに前記球通路３１ａの下流端を連通させるとともに、該流入口３３ａと反対側の該箱形部３３の底面及び他側面を切り欠いて形成された流入口３３ｂに前記球通路３１ｂの下流端を連通している。また、箱形部３３の球受皿１０ａと相対する側壁部に流出口３４ａを形成し、箱形部３３の球受皿１０ｂと相対する側壁部に流出口３４ｂを形成している。そして該箱形部３３の下方にて棒状部３５ａと棒状部３５ｂとを一体的に略∪字形に形成してなる昇降部材３５を組付台１０の下方から球移送手段３０ａ，３０ｂの球通路３１ａ，３１ｂを貫通し該球通路３１ａ，３１ｂ内へ上下方向に進退動可能に設け、組付台１０内に設けられたソレノイド３６を作動させることにより第１リンク３７と第２リンク３８を介して該昇降部材３５が上下動するようにする。即ち、図５〜図８に示したように組付台１０内に支持片３９をビス３９′により固設し、該支持片３９に連結ピン４０により連結された第１リンク３７と第２リンク３８とを支軸４１，４２によりそれぞれ揺動可能に枢着し、該第１リンク３７の先端部にソレノイド３６の作動杆３６ａを枢着するとともに、第２リンク３８の先端部に形成された長孔３８ａに前記昇降部材３５の下端部に貫挿された支軸４３を遊嵌し、ソレノイド３６の作動杆３６ａが上下動すると昇降部材３５が上下動するようにしている。
【００１８】
なお、該昇降部材３５の棒状部３５ａの上端面３５ａ′は前記流出口３４ａと相対する側が低くなる傾斜面状に形成され、棒状部３５ｂの上端面３５ｂ′は前記流出口３４ｂと相対する側が低くなる傾斜面状に形成されている。このため、図７に示したように、該昇降部材３５が下降しているときに、前記流入口３３ａより遊技球Ｐが流入すると該遊技球Ｐは該上端面３５ａ′上に乗り、その状態で昇降部材３５が上昇すると、図８に示したように、該遊技球Ｐは流出口３４ａから流出して球受皿１０ａに入る。また、該昇降部材３５が下降しているときに、前記流入口３３ｂより遊技球Ｐが流入した場合も該遊技球Ｐは該上端面３５ｂ′上に乗り、その状態で昇降部材３５が上昇すると流出口３４ｂから流出して球受皿１０ｂに入るようになる。
【００１９】
次に、第１ゾーンＡに属する球戻機構１１ａと、第２ゾーンＢに属する球戻機構１１ｂの構成を説明する。球戻機構１１ａと球戻機構１１ｂとは、図４に示したように前記組付台１０の両端縁に形成された取付部４４と取付部４５に組付板５０ａと組付板５０ｂをいずれも４５度程度の傾斜状となるようにビス５１により固設している。なお、この球戻機構１１ａと球戻機構１１ｂは、それぞれ組付板５０ａと組付板５０ｂの上面に配設することにより、球受皿１０ａ，１０ｂの一側縁に左右対称的に、しかも遊技者が見易いようにそれぞれに前方斜め内向きに配置される。
【００２０】
一方の球戻機構１１ａの構成から先に図９〜図１６に従い説明する。前記組付板５０ａの背面にモータ５２ａをビス５３により固着し、該モータ５２ａの回転軸を組付板５０ａに形成された筒孔５４から突出させ該回転軸に歯車５５を圧入することで固設する。また該組付板５０ａの中央部背面に形成された支持筒５６に支軸５７を嵌着し該支軸５７を該組付板５０ａの前面に突出させる。さらに該組付板５０ａの一側縁に取付片５８を一体に形成し、該取付片５８にロータリーソレノイド５９をビス５９ａにより固着し、該ロータリーソレノイド５９の作動軸に開閉弁６０を圧入することで固設し、該開閉弁６０が該ロータリーソレノイド５９の作動により該組付板５０ａの前面に傾倒することによって出没動するようにする。
【００２１】
また、該組付板５０ａの上面に透明なプラスチックにより略ドーム形に形成されたケース体６１ａをビス６２により固着する。また、下部円盤体６３ａ上に上部円盤体６４ａを重合し該下部円盤体６３ａと上部円盤体６４ａとをビス６５により固着して回転円盤６６ａを形成し、該回転円盤６６ａを前記ケース体６１ａ内に収容し、該下部円盤体６３ａの中心部に形成された筒部６７に前記支軸５７を貫挿することで該回転円盤６６ａを該ケース体６１ａ内において約４５度の傾斜面内にて回転自在になるように支持するとともに、下部円盤体６３ａの下面に一体に形成された歯車６７ａを前記歯車５５に噛合させ、前記モータ５２ａの作動で該回転円盤６６ａが該ケース体６１ａ内において傾斜面内で回転動するようにする。
【００２２】
図１１に拡大して示したように、前記上部円盤体６４ａの外周縁には等間隔で９箇所に球保持孔６８〜７６が形成され、該各球保持孔６８〜７６は該上部円盤体６４ａの上面に亘って開口しているとともに、該各球保持孔６８〜７６のうち球保持孔６８と球保持孔７１と球保持孔７４については遊技球Ｐが該上部円盤体６４ａの半径方向に行き来できるように該上部円盤体６４ａの中心部付近まで延設され戻入球保持孔として形成されている。一方、球保持孔６８と球保持孔７１との間に形成された球保持孔６９と球保持孔７０、および、球保持孔７１と球保持孔７４との間に形成された球保持孔７２と球保持孔７３、および、球保持孔７４と球保持孔６８との間に形成された球保持孔７５と球保持孔７６は、中心部付近まで延長されることなく行き止まりとなる排出球保持孔６９，７０，７２，７３，７５，７６として形成されている。なお、前記戻入球保持孔６８，７１，７４と前記排出球保持孔６９，７０，７２，７３，７５，７６とは上部円盤体６４ａ（回転円盤６６ａ）の同一の回転軌道上にそれぞれの開口が位置するように配置されている。さらに、排出球保持孔６９，７０，７２，７３，７５，７６の近傍には上下の高低差を有し（より低い位置にて）所定の角度ずらした保持孔６９′，７０′，７２′，７３′，７５′，７６′が形成されている。該保持孔６９′，７０′，７２′，７３′，７５′，７６′は遊技領域からの遊技球Ｐのみを受け入れ、該保持孔６９′，７０′，７２′，７３′，７５′，７６′に遊技球Ｐが入球した場合にはその上方に位置し連通する前記排出球保持孔６９，７０，７２，７３，７５，７６に入球しようとする遊技球Ｐがあっても先に入球した遊技球Ｐ自体が当接しその進入を阻止する流入阻止球保持孔６９′，７０′，７２′，７３′，７５′，７６′として形成されている。なお、上部円盤体６４ａの下方は開口しており、前記流入阻止球保持孔６９′，７０′の下方開口と下部円盤体６３ａの上面に形成したリブ７７により区画した球受部６９ａ，７０ａとを相対させている。また同様に前記流入阻止球保持孔７２′，７３′の下方開口と下部円盤体６３ａの上面に形成したリブ７７により区画した球受部７２ａ，７３ａとを相対させ、前記流入阻止球保持孔７５′，７６′の下方開口と下部円盤体６３ａの上面に形成したリブ７７により区画した球受部７５ａ，７６ａとを相対させている。このためこの６つの流入阻止球保持孔６９′，７０′，７２′，７３′，７５′，７６′は図１２に示したように遊技球Ｐが該各球受部６９ａ，７０ａ，７２ａ，７３ａ，７５ａ，７６ａの上面に受け支えられて保持される。この際上方に位置する排出球保持孔６９，７０，７２，７３，７５，７６には遊技球Ｐが流入しようとしても、前記流入阻止球保持孔６９′，７０′，７２′，７３′，７５′，７６′に保持された遊技球Ｐが先に当接するよう排出球保持孔６９，７０，７２，７３，７５，７６側にはみ出して保持されることからその進入を阻止する。従って該流入阻止球保持孔と該排出球保持孔には同時に遊技球Ｐが入球しないようになっている。このように流入阻止球保持孔と排出球保持孔は互いが連通するように上下の高低差をもって形成され各々の保持孔が遊技球Ｐを１個ずつ保持し得るようになっているのでダブル保持孔とも称す。一方で前記球保持孔６８，７１，７４は１個の遊技球Ｐを保持し得るだけであるのでシングル保持孔とも称する。なお、各球保持孔６９，７０，７２，７３，７５，７６の上端開口縁にはそれぞれ球導入斜面６９ａ′，７０ａ′，７２ａ′，７３ａ′，７５ａ′，７６ａ′が該回転円盤６６ａの回転方向の下流に向けて形成され、円周方向から該各球保持孔６９，７０，７２，７３，７５，７６に遊技球Ｐが流入し易いようにしている。さらに、先に流入阻止球保持孔に遊技球Ｐが入球した状態でその上方に位置し連通する排出球保持孔へ後述するケース体６１ａの球受入口８７ａから遊技球Ｐが入球しようとしても先に流入阻止球保持孔に入球した遊技球Ｐによって阻害され該排出球保持孔には入球されない。そして入球されなかった遊技球Ｐは上記ケース体６１ａの球受入口８７ａの端部である囲壁８６付近にて滞留することになり次にくる排出球保持孔または戻入球保持孔へ導かれることになるがその際のスロープとしての役割も有している。
【００２３】
また、前記ケース体６１ａは前記組付板５０ａの傾斜に合わせて固定した状態で外周壁面７８の上方位置となる部位に非循環球流入孔８０と循環球流入孔８１を少しの間隔を離して開設している。即ち、遊技領域からの遊技球Ｐを後述する流路切替機構１２を介し流入阻止球保持孔へ連通する非循環球流入孔８０と、遊技領域からの遊技球Ｐを後述する流路切替機構１２を介し戻入球保持孔または排出球保持孔へ連通する循環球流入孔８１とを少しの間隔を離し上下の高低差をもって開設している。
そして非循環球流入孔８０は前記回転円盤６６ａが回転した際に前記流入阻止球保持孔と相対するように開設されており、その相対した状態の時に後述する流路切替機構１２から分岐した遊技球Ｐを受け入れることとなる。また、循環球流入孔８１は前記回転円盤６６ａが回転した際に前記戻入球保持孔または排出球保持孔と相対するように開設されており、その相対した状態の時に後述する流路切替機構１２から分岐した遊技球Ｐを受け入れることになる。
なお非循環球流入孔８０は下部円盤体６３ａの外周縁の上面上部から上部円盤体６４ａの外周縁に亘って相対するように開設されているのに対し、循環球流入孔８１は上部円盤体６４ａの外周縁にだけ相対するように開設されている。また、同様にケース体６１ａを前記組付板５０ａの傾斜に合わせてに固定した状態で外周壁面７８の斜め下方位置となる部位に非循環球流出孔８３と球流出孔８４ａを上下の高低差をもって開設している。また球流出孔８４ａは前記循環球流入孔８１と同じく上部円盤体６４ａの外周縁にだけ相対するように開設されている。そして、非循環球流出孔８３は前記非循環球流出孔８０と同じく前記回転円盤６６ａが回転した際に前記流入阻止球保持孔と相対するように開設されており、該非循環球流出孔８３には前記開閉弁６０が設けられ、該開閉弁６０により非循環球流出孔８３が開閉され、該非循環球流出孔８３が開動することによって前記流入阻止球保持孔にストックされていた遊技球Ｐを排出可能にしている。また球流出孔８４ａは前記循環球流入孔８１と同じく前記戻入球保持孔または排出球保持孔と相対するように開設されている。そして、該球流出孔８４ａを前記球通路３１ａと連通させ、該球流出孔８４ａと前記排出球保持孔６９，７０，７２，７３，７５，７６とが相対した状態で該排出球保持孔６９，７０，７２，７３，７５，７６にて受け入れられていた遊技球Ｐは排出され前記球通路３１ａにより第２ゾーン側へ導かれる。
なおその一方の球流出孔８３は前記非循環球流入孔８０と同じく下部円盤体６３ａの外周縁の上面上部から上部円盤体６４ａの外周縁に亘って相対するように開設され、該非循環球流出孔８３の外側に前記開閉弁６０が対峙し、該開閉弁６０により該非循環球流出孔８３が開閉されるようにしている。
【００２４】
また、該ケース体６１ａの上面壁８５の上面に該上面壁８５の傾斜上部から傾斜下部に亘って縦断状なるように囲壁８６を形成し、該囲壁８６内であって該ケース体６１ａの下縁部に前記球受皿１０ａの外周縁と相対するように横幅大きめの球受入口８７ａを開設するとともに、該囲壁８６内であって該ケース体６１ａの上縁部に球開放孔８８ａを開設し、さらに該球開放孔８８ａの下流に平面扇形状の傾斜スロープ８９ａを形成し、該傾斜スロープ８９ａが前記球受入口８７ａの上方に庇状に被る形態に形成する。なお、球受入口８７ａは球受皿１０ａの外周壁に形成された切欠開口１０ａ′から流出した遊技球Ｐが受け入れるように形成され、傾斜スロープ８９ａは該遊技球Ｐの受け入れの邪魔にならないように球受入口８７ａの上方に離間して形成され、しかも上向きに傾斜する庇状に形成される。
前記戻入球保持孔６８，７１，７４と前記排出球保持孔６９，７０，７２，７３，７５，７６は、遊技領域から後述する流路切替機構１２によって前記循環球流入孔８１へ導かれた遊技球Ｐと球受皿１０ａの外周縁である切欠開口１０ａ′からケース体６１ａの球受入口８７ａへ導かれた遊技球Ｐとを受け入れるように構成されており、前記戻入球保持孔６８，７１，７４と前記排出球保持孔６９，７０，７２，７３，７５，７６は、受け入れた遊技球Ｐを遊技球振分装置内で循環する循環球として取り扱う循環球保持孔としての役割を有している。
また、前記流入阻止球保持孔６９′，７０′，７２′，７３′，７５′，７６′は、遊技領域から後述する流路切替機構１２によって前記非循環球流入孔８０へ導かれた遊技球Ｐしか受け入れることができないように構成されており、前記流入阻止球保持孔６９′，７０′，７２′，７３′，７５′，７６′は、受け入れた遊技球Ｐを前記開閉弁６０が開動するまで前記球戻機構１１ａ内にて保持し非循環球として取り扱う非循環球保持孔としての役割を有している。
なお、球戻機構１１ａを水平状に配置した場合には、循環球保持孔（排出球保持孔・戻入球保持孔）と非循環球保持孔（流入阻止球保持孔）との高低差は、循環球流入孔８１と非循環球流入孔８０の高低差に一致する。
さらに、球流出孔８４ａと非循環球流出孔８３から排出される遊技球Ｐの排出位置との高低差とも一致する。
【００２５】
次に球戻機構１１ｂの構成を図１７，図１８に従い説明する。球戻機構１１ｂは、前記球戻機構１１ａと同様に、組付板５０ｂの背面にモータ５２ｂをビス５３により固着し、該モータ５２ｂの回転軸を組付板５０ｂに形成された筒孔５４から突出させ該回転軸に歯車５５を圧入することで固設する。また該組付板５０ｂの中央部背面に形成された支持筒５６に支軸５７を嵌着し該支軸５７を該組付板５０ｂの前面に突出させる。また、該組付板５０ｂの前面に透明なプラスチックにより略ドーム形に形成されたケース体６１ｂをビス６２により固着する。また、下部円盤体６３ｂ上に上部円盤体６４ｂを重合し該下部円盤体６３ｂと上部円盤体６４ｂとをビス６５により固着して回転円盤６６ｂを形成し、該回転円盤６６ｂを前記ケース体６１ｂ内に収容し、該下部円盤体６３ｂの中心部に形成された筒部６７に前記支軸５７を貫挿することで該回転円盤６６ｂを該ケース体６１ｂ内において約４５度の傾斜面内で回転自在になるように支持するとともに、下部円盤体６３ｂの下面に一体に形成された歯車６７ｂを前記歯車５５に噛合させ、前記モータ５２ｂの作動で該回転円盤６６ｂが該ケース体６１ｂ内で回転動するようにする。
【００２６】
前記上部円盤体６４ｂの外周縁には等間隔で９箇所に球保持孔９１〜９９を形成している。該各球保持孔９１〜９９は該上部円盤体６４ｂの上面に亘って開口するように形成されているとともに、該各球保持孔９１〜９９のうちの球保持孔９１，９２，９４，９５，９７，９８については遊技球Ｐが該上部円盤体６４ｂの半径方向に行き来できるように該上部円盤体６４ｂの中心部付近まで延設され戻球保持孔として形成されている。一方、球保持孔９３，９６，９９はこのように延設されておらず排出球保持孔として形成されている。このため該球保持孔９３，９６，９９に流入した遊技球Ｐは該上部円盤体６４ｂの中心部付近まで移動することはない。なお、下部円盤体６３ｂには前記下部円盤体６３ａのような球受部は形成されていない。従って、この回転円盤６６ｂは、各球保持孔９１〜９９にそれぞれ一個だけ遊技球Ｐを保持できる構成である。
【００２７】
また、前記ケース体６１ｂは前記組付板５０ｂの傾斜に合わせて固設した状態で外周壁面７８の斜め下方位置となる部位に球流出孔８４ｂを開設している。該球流出孔８４ｂは前記回転円盤６６ｂが回転した際に前記戻入球保持孔９１，９２，９４，９５，９７，９８または排出球保持孔９３，９６，９９と相対するように開設されている。そして、該球流出孔８４ｂを前記球通路３１ｂに連通させ、該球流出孔８４ｂと前記排出球保持孔９３，９６，９９が相対した状態で該排出球保持孔９３，９６，９９にて受け入れられていた遊技球Ｐは排出され、該遊技球Ｐは前記球通路３１ｂにより第１ゾーン側へ導かれる。
【００２８】
また、該ケース体６１ｂの上面壁８５の構成は前記ケース体６１ａと同様であり、前記球受入口８７ａに相当する球受入口８７ｂが球受皿１０ｂの外周壁に形成された切欠開口１０ｂ′と相対するように形成され、囲壁８６内に前記球開放孔８８ａに相当する球開放孔８８ｂが開設され、該球開放孔８８ｂの下流に傾斜スロープ８９ｂが前記球受入口８７ｂの上方に庇状に被るように形成されている。
前記戻入球保持孔９１，９２，９４，９５，９７，９８と排出球保持孔９３，９６，９９は、球受皿１０ｂの外周縁である切欠開口１０ｂ′からケース体６１ｂの球受入口８７ｂへ導かれた遊技球Ｐしか受け入れることができないように構成されており、前記戻入球保持孔９１，９２，９４，９５，９７，９８と排出球保持孔９３，９６，９９は、受け入れた遊技球Ｐを遊技球振分装置内で循環する循環球として取り扱う循環球保持孔としての役割を有している。
なお、球戻機構１１ｂを水平状に配置した場合には、循環球保持孔（排出球保持孔・戻入球保持孔）の取付板５０ｂからの高さは、球排出孔８４ｂの取付板５０ｂからの高さに一致する。
【００２９】
次に前記球戻機構１１ａの上部に設けることで遊技球Ｐを前記非循環球流入孔８０または循環球流入孔８１に流入させる流路切替機構１２を図１９，図２０に従い説明する。この流路切替機構１２は、前記組付板５０ａの上縁部にビス１２ａにより固定され、上端部に球入口１００を設け、鉛直に形成された整流樋１０１の途中に支軸１０２により回転自在なるように球止部材１０３を支持し、該球止部材１０３に突設された係合軸１０４をソレノイド１０５の作動片１０６に係合している。該球止部材１０３の下流は第１路１１２と第２路１１３に分岐され、その分岐部に切替弁１０７を支軸１０８により回転自在に支持し、該切替弁１０７に突設された係合軸１０９をソレノイド１１０の作動片１１１に係合している。
【００３０】
このため、球入口１００より流入した遊技球Ｐは球止部材１０３によって一時停止され、ソレノイド１０５が励磁と消磁を繰り返す度に該遊技球Ｐを一個ずつ流下させる。そして切替弁１０７の状態に従い該遊技球Ｐは第１路１１２または第２路１１３に流下し、第１路１１２を流下した遊技球Ｐは前記非循環球流入孔８０に流入し、第２路１１３を流下した遊技球Ｐは前記循環球流入孔８１に流入する。
【００３１】
非循環球流入孔８０に流入した遊技球Ｐは、回転円盤６６ａに形成されたダブル保持孔である前記流入阻止球保持孔６９′，７０′，７２′，７３′，７５′，７６′のうちのいずれかに流入し、該流入阻止球保持孔６９′，７０′，７２′，７３′，７５′，７６′内底部の球受部６９ａ，７０ａ，７２ａ，７３ａ，７５ａ，７６ａ上に保持される。なお、回転円盤６６ａは前記モータ５２ａの動力により時計方向に低速回転するので、遊技球Ｐが流入してくるタイミングにより流入阻止球保持孔６９′，７０′，７２′，７３′，７５′，７６′のうちのどこに流入するかが決まる。また前記循環球流入孔８１より流入した遊技球Ｐは、球保持孔６８〜７６のいずれかに流入する。なお、球保持孔６８〜７６のうちの排出球保持孔６９，７０，７２，７３，７５，７６については、遊技球Ｐが流入しても通常は該排出球保持孔６９，７０，７２，７３，７５，７６にて保持されることとなる。しかし、該排出球保持孔６９，７０，７２，７３，７５，７６の下方に位置する前記流入阻止球保持孔６９′，７０′，７２′，７３′，７５′，７６′に先に遊技球Ｐが保持されている場合はその遊技球Ｐと接触し進入が阻まれることにより該排出球保持孔に遊技球Ｐが入球することができず、次いで循環球流入孔８１と相対する位置に来る戻入球保持孔６８，７１，７４や下方の流入阻止球保持孔６９′，７０′，７２′，７３′，７５′，７６′に遊技球Ｐが保持されていない排出球保持孔６９，７０，７２，７３，７５，７６に流入することとなる。
このように排出球保持孔６９，７０，７２，７３，７５，７６については遊技球Ｐが先に流入阻止球保持孔６９′，７０′，７２′，７３′，７５′，７６′に保持されているかどうかでその排出球保持孔６９，７０，７２，７３，７５，７６に入球できるかが変わる。従って流入阻止球保持孔６９′，７０′，７２′，７３′，７５′，７６′に遊技球Ｐが保持されていればいるほど排出球保持孔６９，７０，７２，７３，７５，７６に遊技球Ｐが入球しないこととなり戻入球保持孔６８，７１，７４へ入球する確率を上昇させることを可能としている。なお、こうした遊技球Ｐの保持状況はケース体６１ａが透明であることから遊技者は見ることができる。
【００３２】
そして、回転円盤６６ａが回転し戻入球保持孔６８，７１，７４に保持された遊技球Ｐが該回転円盤６６ａの傾斜上部に位置するようになると、該遊技球Ｐは該戻入球保持孔６８，７１，７４の中を該回転円盤６６ａの中心部に向けて自重で移動し、前記球開放孔８８ａから囲壁８６内に放出される。放出された遊技球Ｐは前記傾斜スロープ８９ａ上に滑落し、該傾斜スロープ８９ａから勢いよく飛び出すことにより前記球受入口８７ａを飛び越して球受皿１０ａに入る。このように遊技球Ｐはジャンプして球受皿１０ａに戻り、躍動感のある動きをするので、遊技者の趣向性を増大させる。一方、排出球保持孔６９，７０，７２，７３，７５，７６に保持された遊技球Ｐは球開放孔８８ａから放出されることなく、前記球流出孔８４ａに該排出球保持孔６９，７０，７２，７３，７５，７６が相対するようになると該球流出孔８４ａから前記球通路３１ａに放出される。
【００３３】
球受皿１０ａに入った遊技球Ｐは、中心方向に向かって転動し回転体１３ａの上面に乗る。該回転体１３ａは前記モータ２１ａにより回転させているので、該回転体１３ａの上面との摩擦により該遊技球Ｐに遠心力やスピンが掛かり、該球受皿１０ａの外周方向に飛ばされるとともに、該球受皿１０ａがスリ鉢状に形成されていることから自重で次第に内方に転動してまた該回転体１３ａ上に来る。このため該遊技球Ｐは該球受皿１０ａ内にて長時間滞在し、該球受皿１０ａの外周縁と相対する前記球受入口８７ａに流出したり、或いは中心部の球流落口１４ａに流落したりする。球流落口１４ａに遊技球Ｐが流落すると、上述したように例えば特別状態のような遊技者にとって有利な状況が招来する。一方、遊技球Ｐが球受皿１０ａの外周縁に跳ね飛ばされ切欠開口１０ａ′より前記球受入口８７ａに流落すると、該遊技球Ｐは前記球保持孔６８〜７６のいずれかに入る。例えば、戻入球保持孔６８，７１，７４に入ると該遊技球Ｐは回転円盤６６ａが約１８０°回転することにより前記球開放孔８８ａから再び放出されて球受皿１０ａに戻ってくる。このため球流落口１４ａに遊技球Ｐが流落するチャンスが再来する。一方、排出球保持孔６９，７０，７２，７３，７５，７６に遊技球Ｐが入球し保持されると前記回転円盤６６ａが約２３０°回転することにより該遊技球Ｐは前記球流出孔８４ａから球通路３１ａに放出され第２ゾーンＢへ導かれて行くことになる。また、前記流入阻止球保持孔６９′，７０′，７２′，７３′，７５′，７６′に遊技球Ｐが入球し保持されている場合には、その上方に位置する排出球保持孔６９，７０，７２，７３，７５，７６に遊技球Ｐが入球しようとしても該流入阻止球保持孔６９′，７０′，７２′，７３′，７５′，７６′に保持されている遊技球Ｐと当接しその進入が阻まれることになり該排出球保持孔には遊技球Ｐが入球することができない。そして、次の順番でくる戻入球保持孔６８，７１，７４や下方の流入阻止球保持孔６９′，７０′，７２′，７３′，７５′，７６′に遊技球Ｐが保持されていない排出球保持孔６９，７０，７２，７３，７５，７６に流入することとなる。従って、流入阻止球保持孔６９′，７０′，７２′，７３′，７５′，７６′に遊技球Ｐが保持されていればいるほど排出球保持孔６９，７０，７２，７３，７５，７６に遊技球Ｐが入球しないこととなり、戻入球保持孔６８，７１，７４へ入球する確率が上昇する。このような構成を採用することで第１ゾーンＡ内にてより長く滞在する確率を高めさらに循環する遊技球Ｐが球流落口１４ａに流落する確率を上げる変更を可能とした。
【００３４】
こうして球通路３１ａに放出された遊技球Ｐは、該球通路３１ａを流下し、前記遊技球持上装置３２の流入口３３ａより箱形部３３内に入り、ソレノイド３６の作動で昇降部材３５が上昇動することで流出口３４ｂから放出されて球受皿１０ｂに入る。球受皿１０ｂに入った遊技球Ｐは、前記球受皿１０ａに入った場合と同様に、回転体１３ｂの上面との摩擦により遠心力やスピンが掛かり、該球受皿１０ｂ内にて継続的に転動し、該球受皿１０ｂの外周壁の切欠開口１０ｂ′より前記球受入口８７ｂに流入したり中心部の前記球流落口１４ｂに流落したりする。球流落口１４ｂに流落すると例えば特別状態には至らず遊技者にとって不利な結果となる。また、遊技球Ｐが球受入口８７ｂに流入すると、該遊技球Ｐは回転円盤６６ｂの球保持孔９１〜９９の内のいずれかに保持され、戻入球保持孔９１，９２，９４，９５，９７，９８に保持された遊技球Ｐは該回転円盤６６ｂが回転することで前記球開放孔８８ｂから囲壁８６内に放出され、放出された遊技球Ｐは前記傾斜スロープ８９ｂ上に滑落し、該傾斜スロープ８９ｂから勢いよく飛び出すことにより球受皿１０ｂに戻される。従ってまた該遊技球Ｐには球流落口１４ｂに流落する可能性が再来する。一方、遊技球Ｐが排出球保持孔９３，９６，９９に保持されると該遊技球Ｐは前記球流出孔８４ｂから前記球通路３１ｂに放出され、該球通路３１ｂを流下し、前記遊技球持上装置３２の流入口３３ｂより箱形部３３内に入り、ソレノイド３６の作動で昇降部材３５が上昇動することで流出口３４ａから放出され球受皿１０ａに入る。このため該遊技球Ｐは該球受皿１０ａ内にて再び転動するようになり、遊技者は該遊技球Ｐが球流落口１４ａに流落し特別遊技状態が発生する期待をまたも持つことができるようになる。
なお、前記球流落口１４ａ，１４ｂの周囲に形成された障害部１８ａ，１８ｂは、流入しようとする遊技球Ｐが該障害部１８ａ，１８ｂ（図４，図５）に衝突し、該遊技球Ｐを跳ね飛ばす可能性があるので、該遊技球Ｐの挙動を一律でなく一層複雑で興味あるものにする。
また、回転体１３ａ，１３ｂの回転速度が遅いと遊技球Ｐは球流落口１４ａ，１４ｂに流入し易くなり、回転速度が速いと該球受皿１０ａ，１０ｂ内における遊技球Ｐの動きが活発になるので、遊技球Ｐは球流落口１４ａ，１４ｂに流入し難くなる。このため回転体１３ａ，１３ｂの回転速度を変化させることにより遊技性に優れた興味深い趣向性の高いものとなる。
【００３５】
なお、前記遊技球持上装置３２のソレノイド３６は球通路３１ａ，球通路３１ｂに設けた通過球センサが遊技球Ｐを検知したことを契機として作動するようにすればよい。
また、前記ロータリーソレノイド５９を作動させ球流出孔８３を開くことにより、流入阻止球保持孔６９′，７０′，７２′，７３′，７５′，７６′に保持された遊技球Ｐは該球流出孔８３から排出されるが、どのタイミングで排出するかや排出された遊技球Ｐの処遇をどのように設定するかは、遊技機の機種に従い様々で多種多様に設定し得る。
また、前記流路切替機構１２の前記ソレノイド１０５，１１０をどのような契機で作動させるかについても機種の要望に従い自由に設定可能であるが、例えば、遊技機に設けられたディスプレイに抽選表示をし、前記非循環球流入孔８０に流入させる遊技球Ｐの数が該抽選の結果に従って決定され、ソレノイド１０５，１１０が作動することでその抽選結果どうり遊技球Ｐが該流路切替機構１２より球戻機構１１ａに送給されるようにすることができる。このため、例えば非循環球流入孔８０または循環球流入孔８１に１分毎に１個ずつ遊技球Ｐが供給されるようにすることで、遊技者にとって有利または不利な状況を時間の経過に従い変化させることが可能となる。そして、ソレノイド１０５を作動させることで遊技球Ｐが追加的に多数投入され、ソレノイド１１０を作動させることによっては該遊技球Ｐの投入先が前記戻入球保持孔または排出球保持孔と連通する循環球保持孔８１か、流入阻止球保持孔と連通する非循環球流入孔８０かのいずれかに導かれるように切り替えられ、これによっても有利または不利な状況、確率が変化する。このため遊技者が持つワクワクする期待感を増大させたり、或いは時として失望させるなど、遊技者を常に飽きることなく楽しませることができる。
【００３６】
また、本発明に係る遊技球振分装置は、以上説明したように、球受皿１０ａと球戻機構１１ａとからなる第１ゾーンＡと、球受皿１０ｂと球戻機構１１ｂとからなる第２ゾーンＢとを遊技球Ｐが行き来し、そのいずれかのゾーンの球受皿の球流落口に該遊技球Ｐが流落し得るようにしたので、遊技者はどの球流落口に遊技球Ｐが入ったのかを明確に視認することができるとともに、遊技球Ｐが両ゾーン間を移動する状況を見て、有利になったとか不利になったとかいう確率変化の状況を楽しむことができ娯楽性が増す。
また、球受皿１０ａおよび球受皿１０ｂに入った遊技球Ｐは、回転体上面との摩擦により遠心力やスピンが掛かることで継続的に転動するとともに、面白い動きをするので、遊技者を大いに楽しませることができる。
【００３７】
また、球戻機構１１ａについては、流入阻止球保持孔６９′，７０′，７２′，７３′，７５′，７６′とその上方の排出球保持孔６９，７０，７２，７３，７５，７６とが連通して形成され、該流入阻止球保持孔に先に遊技球Ｐが保持されている場合にはその上方の排出球保持孔６９，７０，７２，７３，７５，７６に遊技球Ｐが流入しようとしても、先に流入阻止球保持孔に流入した遊技球Ｐと当接しその流入が阻まれることとなる。例えば、先に流入阻止球保持孔のうちどれか１つに遊技球Ｐが入球すると、遊技球振分装置内にて循環する遊技球Ｐおよび循環球流入孔８１から投入される遊技球Ｐは６つの排出球保持孔のうち必ずどれか１つに入球することができなくなる。つまり、戻入球保持孔６８，７１，７４へ入球する確率は９分の３から８分の３へと変化する。このような構成を採用することによって、遊技者にとって不利となる排出球保持孔６９，７０，７２，７３，７５，７６へ遊技球Ｐが入球する確率を減らし、第１ゾーンＡにより長く滞在する可能性を高め遊技者にとって有利となる状況へと変化させることができる。このため流入阻止球保持孔に先に遊技球Ｐが保持されているかどうかによって、有利または不利な状況、確率が変化し、遊技者が持ち得る期待も変化し、遊技者を飽きさせないとともに、こうした遊技球Ｐの活動的な動きを見て楽しむことができる。
なおこの実施形態では、前記球受皿１０ａ，１０ｂにそれぞれ一つの球流落口１４ａ，１４ｂを形成したが、複数の球流落口が形成されていてもよい。
なおこの実施形態では、流入阻止球保持孔は排出球保持孔に対してのみその下方位置に連通するように設けられたが、戻入球保持孔に対しても設けることができる。
なおこの実施形態では、流入阻止球保持孔は排出球保持孔に対してその下方位置に連通するように所定の角度をずらし省スペース化を実現するよう設けられているが、所定の角度をずらすことなくその直下に位置させて形成することもできる。
【符号の説明】
【００３８】
１０…組付台、    １０ａ，１０ｂ…球受皿、    １０ａ′，１０ｂ′…切欠開口、    １１ａ，１１ｂ…球戻機構、    １２…流路切替機構、    １２ａ…ビス、    １３ａ，１３ｂ…回転体、    １４ａ，１４ｂ…球流落口、    １５ａ，１５ｂ…垂下筒、    １６ａ，１６ｂ…歯車、    １７ａ，１７ｂ…小筒体、    １８ａ，１８ｂ…障害部、    ２０ａ，２０ｂ…回転駆動機構、    ２１ａ，２１ｂ…モータ、    ２２…ビス、    ２３ａ，２３ｂ…歯車、    ３０ａ，３０ｂ…球移送手段、    ３１ａ，３１ｂ…球通路、    ３２…遊技球持上装置、    ３３…箱形部、    ３３′…ビス、    ３３ａ，３３ｂ…流入口、    ３４ａ，３４ｂ…流出口、    ３５ａ，３５ｂ…棒状部、    ３５ａ′，３５ｂ′…上端面、    ３６…ソレノイド、    ３６ａ…作動杆、    ３７…第１リンク、    ３８…第２リンク、    ３９…支持片、    ３９′…ビス、    ４０…連結ピン、    ４１，４２…支軸、    ４３…支軸、    ４４，４５…取付部、    ５０ａ，５０ｂ…組付板、    ５１…ビス、    ５２ａ，５２ｂ…モータ、    ５３…ビス、    ５４…筒孔、    ５５…歯車、    ５６…支持筒、    ５７…支軸、    ５８…取付片、    ５９…ロータリーソレノイド、    ５９ａ…ビス、    ６０…開閉弁、    ６１ａ，６１ｂ…ケース体、    ６２…ビス、    ６３ａ，６３ｂ…下部円盤体、    ６４ａ，６４ｂ…上部円盤体、    ６５…ビス、    ６６ａ，６６ｂ…回転円盤、    ６７…筒部、    ６７ａ，６７ｂ…歯車、    ６８，７１，７４…戻入球保持孔、    ６９，７０，７２，７３，７５，７６…排出球保持孔、    ６９′，７０′，７２′，７３′，７５′，７６′…流入阻止球保持孔、    ６９ａ，７０ａ，７２ａ，７３ａ，７５ａ，７６ａ…球導入斜面、    ７７…リブ、    ７８…外周壁面、    ８０…非循環球流入孔、    ８１…循環球流入孔、    ８３，８４ａ，８４ｂ…球流出孔、    ８５…前側上面壁、    ８６…囲壁、    ８７ａ，８７ｂ…球受入口、    ８８ａ，８８ｂ…球開放孔、    ８９ａ，８９ｂ…傾斜スロープ、    ９１，９２，９４，９５，９７，９８…戻入球保持孔、    ９３，９６，９９…排出球保持孔、    １００…球入口、    １０１…整流樋、    １０２…支軸、    １０３…球止部材、    １０４…係合軸、    １０５…ソレノイド、    １０６…作動片、    １０７…切替弁、    １０８…支軸、    １０９…係合軸、    １１０…ソレノイド、    １１１…作動片、    Ｐ…遊技球、    Ａ…第１ゾーン、    Ｂ…第２ゾーン
【図１】
2020022671.tif 000003
【図２】
2020022671.tif 000004
【図３】
2020022671.tif 000005
【図４】
2020022671.tif 000006
【図５】
2020022671.tif 000007
【図６】
2020022671.tif 000008
【図７】
2020022671.tif 000009
【図８】
2020022671.tif 000010
【図９】
2020022671.tif 000011
【図１０】
2020022671.tif 000012
【図１１】
2020022671.tif 000013
【図１２】
2020022671.tif 000014
【図１３】
2020022671.tif 000015
【図１４】
2020022671.tif 000016
【図１５】
2020022671.tif 000017
【図１６】
2020022671.tif 000018
【図１７】
2020022671.tif 000019
【図１８】
2020022671.tif 000020
【図１９】
2020022671.tif 000021
【図２０】
2020022671.tif 000022